(57)【要約】【課題】  本発明の目的は文字放送において複数の番組情報及びメニュー情報の中から、２つの情報を構成することができる文字放送情報処理機能付きテレビ受像装置、及びその構成要素である文字放送情報処理用マイクロコンピュータを提供することである。【解決手段】  テレビ信号から文字放送情報を抽出してスライス回路２１においてデコードし、デコードされた前記文字情報データをメモリ群２３に記憶し、指示入力信号を受け、記憶した前記文字情報データの中から２つのデータをＣＰＵ２７によって指定し、指定されたデータを転送コントローラ２４によって合成し、送り出し、送り出されたデータをＯＳＤ回路２６において表示データに変換して出力することが可能な文字放送情報処理用マイクロコンピュータを用いて文字放送情報処理機能付きテレビ受像装置を構成する。【選択図】  図２
2004364253.tif 000002
【特許請求の範囲】
【請求項１】
文字放送信号を含むテレビ信号を受信するチューナ部と、
前記チューナ部からの出力信号を検波する検波部と、
前記検波部からの出力信号をビデオ信号に変換するビデオ信号処理部と、
前記検波部からの出力信号に含まれる文字放送信号を、表示可能に処理するマイクロコンピュータ部と、
前記ビデオ信号処理部から出力される前記ビデオ信号と前記マイクロコンピュータ部から出力される前記文字放送信号とを切り替え或いは合成を行う、切り替え及び合成部と、
前記切り替え及び合成部からの出力信号を表示する表示部と、
少なくとも前記マイクロコンピュータ部に指示入力を与えるための操作部とを具備し、
前記マイクロコンピュータ部は、前記検波部からの出力信号に含まれる、前記文字放送信号から文字情報データをデコードするデコード手段と、
デコードして得られた前記文字情報データを記憶する記憶手段と、
前記操作部からの指示入力信号を受け、記憶した前記文字情報データである番組データ及び前記マイクロコンピュータ部に内蔵されている文字情報データであるメニューデータの中から１つ或いは２つの文字情報データを選択する選択手段と、
選択された前記文字情報データを画面表示のためのフォントデータに変換する変換手段とを
有することを特徴とする文字放送情報表示機能付きテレビ受像装置。
【請求項２】
前記選択手段によって選択された前記文字情報データを記憶するバッファ記憶手段を更に有することを特徴とする請求項１に記載の文字放送情報表示機能付きテレビ受像装置。
【請求項３】
前記フォントデータは複数の文字群からなり、前記選択された文字情報データに対応する文字群を前記複数の文字群の中から選択する文字群選択手段を更に有することを特徴とする請求項１又は請求項２に記載の文字放送情報表示機能付きテレビ受像装置。
【請求項４】
文字放送情報表示機能付きテレビ受像装置に使用され、テレビ信号に含まれる文字放送信号を処理するマイクロコンピュータであって、
検波された前記テレビ信号に含まれる前記文字放送信号から文字情報データをデコードするデコード手段と、
デコードして得られた前記文字情報データを記憶する記憶手段と、
指示入力信号を受け、記憶した前記文字情報データである番組データ及び前記マイクロコンピュータ部に内蔵されている文字情報データであるメニューデータの中から１つ或いは２つの文字情報データを選択する選択手段と、
選択された前記文字情報データを画面表示のためのフォントデータに変換する変換手段とを
有することを特徴とする文字放送情報処理用マイクロコンピュータ。
【請求項５】
前記選択手段によって選択された前記文字情報データを記憶するバッファ記憶手段を更に有することを特徴とする請求項４に記載の文字放送情報処理用マイクロコンピュータ。
【請求項６】
前記フォントデータは複数の文字群からなり、前記選択された文字情報データに対応する文字群を前記複数の文字群の中から選択する文字群選択手段を更に有することを特徴とする請求項４又は請求項５に記載の文字放送情報処理用マイクロコンピュータ。
【発明の詳細な説明】
【技術分野】
【０００１】
本発明は、文字放送情報表示機能付きテレビ受像装置及びその構成要素である文字放送情報処理用のマイクロコンピュータに関する。
【背景技術】
【０００２】
テレビ放映における文字番組放送では、一連の文字情報を番組として取り扱っている。利用者は、それらの番組から任意の番組を選択し、テレビ受像装置に表示させて情報を得るようになっている。
【０００３】
文字放送番組として一般的には、ニュース、天気予報、交通情報、エンターテインメント等複数の番組が用意されている。また、例えば、ニュースを取り上げると、政治ニュース、スポーツニュース、芸能ニュース等の分類を行い、視聴者がその中からサブ番組として任意のニュースを選択する方法も行われている。
【０００４】
従って、文字放送情報表示機能付きテレビ受像装置には、利用者によって選ばれた文字放送番組だけでなく、番組並びにサブ番組等のメニューが表示されたメニュー画面が表示される方式が一般的に採用されている。更に、近年、ある番組を表示させ、それを見ながら、メニューも見ることができる文字放送情報表示機能付きテレビ受像装置も提案されている。（例えば、特許文献１参照。）。
【０００５】
このような表示は、文字放送情報表示機能付きテレビ受像装置に内蔵された文字放送情報処理用マイクロコンピュータによって制御されている。文字放送情報処理用マイクロコンピュータにおいては、番組ごとにその文字情報が文字番組放送データとしてテキスト用メモリに記憶されている。
【０００６】
一方、メニューに関するデータは、文字放送情報処理用マイクロコンピュータ内部のプログラムＲＯＭに書き込まれているプログラムをＣＰＵが実行することによりメニュー用メモリに記憶され、画面を構成する際、番組ごとのテキスト用メモリ群から１つを選択し、それのデータを表示データに変換する変換回路に入力する。また、メニュー用メモリのデータも同じ回路に入力される。この変換回路において文字番組放送データ及びメニューデータの両者を合成することにより画面表示を行っている。
【０００７】
上述した文字放送情報処理用マイクロコンピュータによって２つのデータを表示したテレビ受像画面が得られる。但し、その画面構成は１つの番組と１つのメニュー情報であり、２つの番組を同時に表示することはできない。例えば、ニュースをみながら同時に天気予報を知ることはできず、画面を順次切り替えて情報を得ることができるような、利用者にとって更に便利な方法が求められている。
【特許文献１】特開２０００−１５２１１２号公報（第１７頁、図１）
【発明の開示】
【発明が解決しようとする課題】
【０００８】
本発明はこのような事情に鑑みてなされたもので、その目的は、文字放送番組データ及びメニューデータの中から１つ或いは２つの文字情報データを選択できる文字放送情報処理機能付きビデオ受像装置及びその構成要素である文字放送情報処理用マイクロコンピュータを提供することにある。
【課題を解決するための手段】
【０００９】
上記の課題を解決するため、本発明の第１の態様は、文字放送信号を含むテレビ信号を受信するチューナ部と、前記チューナ部からの出力信号を検波する検波部と、前記検波部からの出力信号をビデオ信号に変換するビデオ信号処理部と、前記検波部からの出力信号に含まれる文字放送信号を、表示可能に処理するマイクロコンピュータ部と、前記ビデオ信号処理部から出力される前記ビデオ信号と前記マイクロコンピュータ部から出力される前記文字放送信号とを切り替え或いは合成を行う、切り替え及び合成部と、前記切り替え及び合成部からの出力信号を表示する表示部と、少なくとも前記マイクロコンピュータ部に指示入力を与えるための操作部とを具備し、
前記マイクロコンピュータ部は、前記検波部からの出力信号に含まれる、前記文字放送信号から文字情報データをデコードするデコード手段と、デコードして得られた前記文字情報データを記憶する記憶手段と、前記操作部からの指示入力信号を受け、記憶した前記文字情報データである番組データ及び前記マイクロコンピュータ部に内蔵されている文字情報データであるメニューデータの中から１つ或いは２つの文字情報データを選択する選択手段と、選択された前記文字情報データを画面表示のためのフォントデータに変換する変換手段とを有することを特徴とする。
【００１０】
また、本発明の第２の態様は、文字放送情報表示機能付きテレビ受像装置に使用され、テレビ信号に含まれる文字放送信号を処理するマイクロコンピュータであって、検波されたテレビ信号に含まれる前記文字放送信号から文字情報データをデコードするデコード手段と、デコードして得られた前記文字情報データを記憶する記憶手段と、指示入力信号を受け、記憶した前記文字情報データである番組データ及び前記マイクロコンピュータ部に内蔵されている文字情報データであるメニューデータの中から１つ或いは２つの文字情報データを選択する選択手段と、選択された前記文字情報データを画面表示のためのフォントデータに変換する変換手段とを有することを特徴とする。
【発明の効果】
【００１１】
本発明によれば、複数の文字放送番組データ及びメニューデータの中から１つ或いは２つの文字情報データを選択できる文字放送情報処理機能付きテレビ受像装置及びその構成要素である文字放送情報処理用マイクロコンピュータを提供することが可能になる。
【発明を実施するための最良の形態】
【００１２】
以下、図面を参照して本発明の実施例を説明する。
【実施例１】
【００１３】
図１は本発明の第１の実施例による文字放送情報処理機能付きテレビ受像装置の概略の構成を示すブロック図である。また、図２は文字放送情報処理機能付きテレビ受像装置における文字放送情報処理用マイクロコンピュータを含めた回路ブロック図、図３は文字放送情報処理用マイクロコンピュータによる文字放送情報処理を示すフローチャート、図４は文字放送情報処理用マイクロコンピュータにおけるメモリ群の記憶領域及び記憶データを示す説明図である。更に、図５は文字放送情報処理機能付きテレビ受像装置における操作手順の一例を示すフローチャート及び表示画面の模式図である。
【００１４】
先ず、図１に示す文字放送機能情報処理付きテレビ受像装置１０の構成を説明する。アンテナ１０ａにより受信された文字放送情報を含むテレビ信号は、チューナ部１１へ送られる。チューナ部１１ではテレビ信号を中間周波数の信号に変換し、検波部１２へ出力する。検波部１２は中間周波数の信号を増幅し、検波して、その検波出力をビデオ信号処理部１３及びマイクロコンピュータ部１４へ送る。また、マイクロコンピュータ部１４は受信部１９を介して送られる操作部１８からの番組選択の指示入力をチューナ部１１へ送る。
【００１５】
ビデオ信号処理部１３は、出力された信号をビデオ信号に変換し、変換して得られた信号を切り替え及び合成部１５へ送る。一方、マイクロコンピュータ部１４は操作部１８から受信部１９を介して得られる指示信号を実行するもので、後述するように、検波部１２からの検波出力信号から、文字放送情報データを取り出して、切り替え及び合成部１５へ送る。ここで、操作部１８はリモコン、スイッチ等であり、番組設定等の指示信号を受信部１９へ送るものである。
【００１６】
切り替え及び合成部１５は、操作部１８からの指示信号に応じて、ビデオ信号処理部１３からの出力とマイクロコンピュータ部１４からの出力との切り替えを行うか、あるいは、共に出力する場合は、タイミングを合わせて合成し、その合成信号をビデオ信号出力部１６へ送る。ビデオ信号出力部１６は、得られたビデオ信号を増幅してブラウン管や液晶等の表示部１７を駆動し、表示部１７上に表示する。
【００１７】
図２は文字放送情報処理機能付きテレビ受像装置における文字放送情報処理用マイクロコンピュータ部２０を含めた回路ブロック図である。先ず、デコード部を構成するスライス回路２１は図１における検波部１２の出力信号の波形を整形し、その中から、周期的に繰り返し現れる文字情報をデコードして取り出し、アクウィジション回路２２に送り出す。アクウィジション回路２２は信号のエラー等をチェックし、検出されたエラーの修正処理等を行い、内部の制御レジスタ２２ａによって記憶部を構成するメモリ群２３の中から番組ごとに指定されたテキストメモリ、例えばテキストメモリ２３ａ、に文字情報データを送る。また、テキストメモリ２３ｂ、２３ｃはそれぞれ別の番組情報を記憶する。
【００１８】
本実施例では３つのテキストメモリ２３ａ〜２３ｃを図示したが、テキストメモリの数は特に限定されるものではなく、さらに多くの番組のデータが書込可能なように、追加テキストメモリを用意して良い。これらのデータ書込みに関するプログラムはプログラムＲＯＭ２７ａの中にあり、ＣＰＵ２７がそのプログラムを実行することにより、文字情報データがテキストメモリ群２３ａ〜２３ｃへ書き込まれる。また、ＣＰＵ２７を通じたメモリ群２３や制御レジスタ２２ａ、２４ａ、２６ｂへの情報の伝送はバスライン２７ｂを通して行われる。
【００１９】
一方、メニューメモリ２３ｄには、文字情報データとして番組選択、表示画面制御等のためのメニューデータが書き込まれている。この書き込みも、ＣＰＵ２７がプログラムＲＯＭ２７ａに記憶された制御プログラムを実行することにより行われる。なお、図２に示したメモリ群２３はそれぞれ個別のメモリ装置でも良いし、また、一つのメモリ装置のメモリ領域を分割して使い分けても良い。
【００２０】
次に、メモリ群２３に書き込まれたデータは以下のように選択される。先ず、リモコン操作部３０ａ或いはキースイッチ操作部３０ｂから指示信号が送られる。例えば、リモコン操作部３０ａから指示信号が送られる場合は、指示信号がリモコン受信部２９ａを通じてマイクロコンピュータ２０のＩ／Ｏポート２８ａに入力される。この指示信号に応じて、ＣＰＵ２７がプログラムＲＯＭ２７ａに書き込まれているプログラムを実行し、指示信号からリモコンのキーコードを読み取り、メモリ群２３からメモリ２３ａ〜２３ｄのいずれかを選択する。
【００２１】
また、キースイッチ操作部３０ｂが押された場合は、指示信号がアナログ電圧出力部２９ｂを通じてＡ／Ｄ変換回路２８ｂへ送られ、その指示信号の変換が行なわれる。変換された指示信号によりＣＰＵ２７がプログラムＲＯＭ２７ａに書き込まれているプログラムを実行する。
【００２２】
更に、ＣＰＵ２７は、その電圧からキーコードを読み取り、メモリ群２３からメモリ２３ａ〜２３ｄのいずれかを選択し、メモリ群２３から選択したメモリのアドレス番号等の認知記号を、データ転送コントローラ２４内の制御レジスタ２４ａに書き込む。これを受けた転送コントローラ２４は制御レジスタ２４ａに書き込まれ、選択されたメモリに記憶されたデータを表示用バッファメモリ２５へ転送する。この転送は後述する表示画面の表示内容が切り替る時に行われる。
【００２３】
続いて、変換部を構成する１プレーンのＯＳＤ回路２６において、ＣＰＵ２７からの指示を制御レジスタ２６ｂが読み込む。その指示により、表示用バッファメモリ２５に書き込まれているデータに関する文字情報を読み込み、その文字情報に対応するフォントデータをフォントＲＯＭ２６ａから読み出し、ビデオ信号に変換して出力する。
【００２４】
次に、文字放送情報処理用マイクロコンピュータによる情報処理のフローを説明する。図３の処理フローに示すように、先ず、図１に示した文字放送情報処理用のマイクロコンピュータ部１４は、チューナ部１１へ入力されたテレビ信号から文字放送情報を抽出してデコードし（Ｓ４０）、その文字情報データを図２に示したメモリ群２３に記憶させる（Ｓ４１）。次に、メモリ群２３に記憶された文字情報データのうち、例えば、必要とするメモリ２３ａ、２３ｂのデータを選択し（Ｓ４２）、そのデータをバッファメモリ２５へ転送する。続いて、ＯＳＤ回路２６で、そのデータの文字コードを読み取り、表示信号に変換して出力する（Ｓ４３）。
【００２５】
次に、上述の処理フローにおけるメモリ選択とその転送の詳細について更に説明する。図４はメモリ群の記憶領域の一例を示す概略説明図であり、１つのメモリ装置を使い分けた場合を示している。Pｍｎは転送の最小単位を示すページを意味しており、例えば、テキストメモリ２３ａはP１１からP１ｎまでの列及びP２１からP２ｎまでの列の領域を占め、例えば、天気予報番組のデータを格納するメモリ領域として指定されている。同様にして、Pｍ１からPｍｎの列はメニューメモリ２３ｄとして、例えば、番組選択、表示画面制御等のためのデータが書き込まれている領域である。
【００２６】
例えば、２つのデータとして天気予報番組及びメニューが指定された場合は、ＣＰＵ２７がプログラムＲＯＭ２７ａに書き込まれているプログラムを実行してテキストメモリ２３ａの表示上の前半部にあたるP１１からP１ｎの列及びメニューメモリ２３ｄにあたるPｍ１からPｍｎの列を選択して指定する。データ転送コントローラ２４内の制御レジスタ２４ａは指定された上述のページ領域を、指定された順序で取り出すことによりデータを合成し、順序に従って、それぞれのページ領域をシリアルにバッファメモリ２５へ転送する。例えば、本実施例の場合、P１１からP１ｎの列を先に、Pｍ１からPｍｎの列を後にすることにより、データの合成が行われる。
【００２７】
次に、操作部による表示部の選択とそれを受けてのマイクロコンピュータ部２０の処理との関係を図５により説明する。操作部による表示部の選択と関連するマイクロコンピュータ部の機能は選択機能及び変換機能である。
【００２８】
図５は文字放送情報処理機能付きテレビ受像装置における操作手順の一例を示すフローチャート及び表示画面の模式図である。先ず、図２に示した文字放送情報処理機能付きビデオ受像装置における操作部３０のキースイッチ操作部３０ｂをオンする（Ｓ５０）。この場合、メニューメモリ２３ｄを選択するようにプログラムされており、図１に示した表示部１７の表示画面５１ａには、「メニュー案内」が下段に表示される（Ｓ５１）。
【００２９】
次に、リモコン操作で例えば、天気予報の番組Ａをオンにすると（Ｓ５２）、文字放送情報処理用マイクロコンピュータ部２０では番組Ａに対応するメモリ、例えばテキストメモリ２３ａを選択する（Ｓ５３）。この時、メニューメモリ２３ｄはそのまま選択された状態であり、表示部１７の表示画面はテキストメモリ２３ａの表示上の前半部とメニューメモリ２３ｄとの２つのデータ表示になる。例えば、２つのデータ表示において、メニューメモリ２３ｄからの情報は下段に表示するようにプログラムしておくと、上段にテキストメモリ２３ａの前半部に記憶されている「今日の天気は晴れ後曇り」、下段部に「メニュー案内」が表示画面５３ａに現れる。
【００３０】
なお、更に番組Ａをオンすると図示しないが、番組Ａの１画面表示になり、例えば上段に表示されている「今日の天気は晴れ後曇り」に続いてテキストメモリ２３ａの後半部に記憶されている「岩手県の天気は一時雨」が画面に表示される。２つのデータ表示において後半部に記憶されている部分だけを表示する場合は、処理フローに示すように、リモコン操作部３０ａのＦＴＢボタンをオンする（Ｓ５４）。この場合、テキストメモリ２３ａを選択するが（Ｓ５５）、その表示画面５５ａは後半部が優先的に表示される。
【００３１】
次に、例えばリモコン操作部３０ａのスポーツニュースの番組Ｂをオンする（Ｓ５６）。その情報がテキストメモリ２３ｂに格納されている場合は以下のようになる。文字放送情報処理用マイクロコンピュータ部２０は、メニューメモリ２３ｄに替えて、テキストメモリ２３ｂを選択する（Ｓ５７）。データ転送を経て、ＯＳＤ回路２６においてはメニューメモリ２３ｄの表示部分をテキストメモリ２３ｂに変更して上部に岩手県の天気予報が、下部にスポーツニュースが表示画面５７ａに表示される。
【００３２】
更に、再度、「メニュー案内」をみる場合は、リモコン操作部３０ａのメニューボタンをオンする（Ｓ５８）。始めに選択していた番組Ａに替わって、メニューメモリ２３ｄが選択され（Ｓ５９）、表示画面５９ａには上段部の天気予報が消え、スポーツニュース番組が上段に表示され、「メニュー案内」が下段に表示される。
【００３３】
本実施例によれば、文字放送情報処理機能付きビデオ受像装置において、文字放送データ及びプログラムされているメニューデータから少なくとも２つのデータを選択できるようにし、画面表示の構成として２つのデータで表示することが可能になる。また、マイクロコンピュータ内のＯＳＤ回路は１プレーンで済ますことが可能であり、簡易な回路にすることができる。
【実施例２】
【００３４】
図６は本発明の第２の実施例による文字放送情報処理機能付きテレビ受像装置を構成する文字放送情報処理用マイクロコンピュータ部を含む回路ブロック図である。この第２の実施例の基本構成は第１の実施例と同じである。この第２の実施例が第１の実施例と異なる点は、マイクロコンピュータ２０の中におけるメモリ群２３のデータをＯＳＤ回路２６へ送り出す手段である。
【００３５】
第１の実施例における制御レジスタ２４ａを備えたデータ転送コントローラ２４及び表示用バッファメモリ２５に替えて、本実施例では制御レジスタ２４ｃを備えたメモリコントローラ２４ｂによってメモリ群２３のメモリ２３ａ〜２３ｄの中から選択したメモリを読み出す方法をとる。
【００３６】
従って、この第２の実施例の各部について、図２の第１の実施例に係る文字放送機能情報処理付きテレビ受像装置を構成する文字放送情報処理用マイクロコンピュータ部を含む回路ブロック図と同一部分は同一符号で示し、その説明を省略する。
【００３７】
以下にメモリコントローラ２４ｂを中心に説明する。即ち、ＣＰＵ２７はメモリ群２３のメモリ２３ａ〜２３ｄの中から選択したメモリについての情報を、メモリコントローラ２４ｂ内の制御レジスタ２４ｃに書き込む。メモリコントローラ２４ｂは制御レジスタ２４ｃに書き込まれ、指定されたメモリから文字放送情報若しくはメニュー情報を読み出し、合成して、１プレーン構成のＯＳＤ回路２６へ出力するようになっている。なお、他の構成及び動作は第１の実施例と同様である。
【００３８】
この構成においても、デコード、記憶、選択制御及び表示信号への変換の各機能は第１の実施例における機能と同様である。即ち、リモコン操作部３０ａ或いはキースイッチ操作部３０ｂからの指示信号を受けて、ＣＰＵ２７によってプログラムＲＯＭ２７ａのプログラムを実行することにより、メモリ群２３の情報の文字放送データ及びメニューデータから少なくとも２つのデータを選択して、上述した機能により、ＯＳＤ回路２６へデータを送り出し、１プレーンのＯＳＤ回路２６において２つのデータ構成の表示用出力が可能になる。
【００３９】
本実施例によれば、文字放送情報処理機能付きビデオ受像装置において、文字放送データ及びプログラムされているメニューデータから少なくとも２つのデータを選択できるようにし、画面表示の構成として２つのデータで表示することが可能になる。また、マイクロコンピュータ内のＯＳＤ回路は１プレーンで済ますことが可能であり、簡易な回路にすることができる。更に、表示用バッファメモリを用いず、簡易な回路構成とすることができる。
【実施例３】
【００４０】
図７は本発明の第３の実施例による文字放送情報処理機能付きテレビ受像装置を構成する文字放送情報処理用マイクロコンピュータ部を含む回路ブロック図である。この第３の実施例の基本構成は第１の実施例と同じである。この第３の実施例が第１の実施例と異なる点は、図７に示すように、フォント切替メモリ２６ｃを有する点である。
【００４１】
従って、この第３の実施例の各部について、図２の第１の実施例に係る文字放送機能情報処理付きテレビ受像装置を構成する文字放送情報処理用マイクロコンピュータ部を含む回路ブロック図と同一部分は同一符号で示し、その説明を省略する。以下にフォント切替メモリ２６ｃを中心に説明する。
【００４２】
例えば、ヨーロッパ諸国においては複数の言語が用いられてり、従って、フォントＲＯＭ２６ａにはアルファベット以外に複数の文字群が含まれている。例えば、ギリシャ文字、アラビア文字、ロシア文字、イラン文字、ヘブライ文字、ラテン文字等の文字群である。放送番組の切り替え或いは放送内容の切り替え等に伴って、これらの使用される文字群が切り替ることが考えられる。
【００４３】
このような切り替えを行うため、先ずフォントＲＯＭ２６ａのメモリ領域は上述のようなそれぞれの文字群に分けられる。フォント切替メモリ２６ｃはフォントＲＯＭ２６ａのメモリ領域において分けられた各領域を指定できるような指定情報を有している。例えば、アルファベットのデータを画面の上方に、ラテン文字のデータを画面の下方に表示する場合は、上方はアルファベット、下方はラテン文字を指定できる情報がフォント切替メモリ２６ｃのメモリ領域の一部に記憶されている。同じようにして、上方及び下方の文字群の組合せがすべての文字群について洩れなくフォント切替メモリ２６ｃのメモリ領域に記憶されている。
【００４４】
次に、フォント切替メモリ２６ｃに関連した文字放送情報処理用マイクロコンピュータ２０の動作について説明する。
【００４５】
検波部からの出力信号の波形をスライス回路２１において整形し、その中から、周期的に繰り返し現れる文字情報をデコードして取り出し、アクウィジション回路２２に送り出す。アクウィジション回路２２において所定の処理が行われ、メモリ群２３に文字情報データが書き込まれる。
【００４６】
ＣＰＵ２７がプログラムＲＯＭ２７ａに書き込まれているプログラムを実行し、メモリ群２３からメモリ２３ａ〜２３ｄのいずれかを選択し、データ転送コントローラ２４内の制御レジスタ２４ａに書き込む。この時、選択されたデータに用いられる所定の文字群もＣＰＵ２７が読み取り、データ転送コントローラ２４内の制御レジスタ２４ａ及びＯＳＤ回路２６内の制御レジスタ２６ｂに書き込む。
【００４７】
続いて、データ転送コントローラ２４は選択されたメモリに記憶されたデータを表示用バッファメモリ２５へ転送し、また、フォントＲＯＭ切替メモリ２６ｃから所定の文字群を示すメモリをＯＳＤ回路２６へ読み出す。
【００４８】
次に、ＯＳＤ回路２６において、フォントＲＯＭ切替メモリ２６ｃから読み出された所定の文字群を示すメモリに対応したフォントＲＯＭ２６ａのメモリ領域が指定される。更に、制御レジスタ２６ｂが表示用バッファメモリ２５に書き込まれているデータに関する文字情報を読み込み、その文字情報に対応するフォントＲＯＭ２６ａの指定されたメモリ領域から読み出し、ビデオ信号に変換して出力する。
【００４９】
以上に述べたように、フォントＲＯＭ２６ａの所定の文字群を指定することにより、第１の実施例における効果に加えて、以下に示す効果が得られる。例えば、画面表示された２つの文字情報データの一方が切り替った際に、他の一方の文字情報データが表示化けする等の不具合を防止することが可能になる。
【実施例４】
【００５０】
図８は本発明の第４の実施例による文字放送情報処理機能付きテレビ受像装置を構成する文字放送情報処理用マイクロコンピュータ部を含む回路ブロック図である。この第４の実施例の基本構成は第２の実施例と同じである。第２の実施例と異なる点は、図８に示すように、フォント切替メモリ２６ｃを有する点である。
【００５１】
従って、この第４の実施例の各部について、図６の第２の実施例に係る文字放送機能情報処理付きテレビ受像装置を構成する文字放送情報処理用マイクロコンピュータ部を含む回路ブロック図と同一部分は同一符号で示す。また、フォント切替メモリ２６ｃは第３の実施例におけるものと基本的に同じである。従って、以下に本実施例の動作について簡略化して述べる。
【００５２】
検波部からの出力信号の波形をスライス回路２１において整形し、その中から、周期的に繰り返し現れる文字情報をデコードして取り出し、アクウィジション回路２２に送り出す。アクウィジション回路２２において所定の処理が行われ、メモリ群２３に文字情報データが書き込まれる。
【００５３】
ＣＰＵ２７がプログラムＲＯＭ２７ａに書き込まれているプログラムを実行し、メモリ群２３からメモリ２３ａ〜２３ｄのいずれかを選択し、メモリコントローラ２４ｂ内の制御レジスタ２４ｃに書き込む。この時、選択されたデータに用いられる所定の文字群もＣＰＵ２７が読み取り、メモリコントローラ２４ｂ内の制御レジスタ２４ｃ及びＯＳＤ回路２６内の制御レジスタ２６ｂに書き込む。
【００５４】
続いて、メモリコントローラ２４ｂは選択されたメモリに記憶されたデータをＯＳＤ回路２６へ転送し、また、フォントＲＯＭ切替メモリ２６ｃから所定の文字群を示すメモリをＯＳＤ回路２６へ読み出す。
【００５５】
次に、ＯＳＤ回路２６において、フォントＲＯＭ切替メモリ２６ｃから読み出された所定の文字群を示すメモリに対応したフォントＲＯＭ２６ａのメモリ領域が指定される。更に、制御レジスタ２６ｂが書き込まれたるデータに関する文字情報を読み込み、その文字情報に対応するフォントＲＯＭ２６ａの指定されたメモリ領域から読み出し、ビデオ信号に変換して出力する。
【００５６】
本実施例は第３の実施例と同様に、フォントＲＯＭ２６ａの所定の文字群を指定することにより、第２の実施例における効果に加えて、以下に示す効果が得られる。例えば、画面表示された２つの文字情報データの一方が切り替った際に、他の一方の文字情報データが表示化けする等の不具合を防止することが可能になる。
【００５７】
なお、本発明は上述した各実施例に何ら限定されるものではない。例えば、文字放送データのメモリ群への記憶は、番組内容によるメモリ規模の必要等に応じて同じメモリ装置の中でページ、カラム、ロー等を指定できることは勿論であり、また、それぞれの番組情報を別のメモリ装置に分けることも可能である。また、それに対応して、データ転送コントローラ及びメモリコントローラは選択された範囲の情報を取り出すようにすることが可能である。
【００５８】
また、データ転送コントローラ及びメモリコントローラがデータを転送するタイミングは表示画面での表示内容が切り替る時以外に、垂直帰線消去期間内に行っても良いし、更に、垂直帰線消去期間内で、且つ、アクウィジション回路からテキストメモリへデータが送られていない時に行うこともできる。
【００５９】
表示画面における表示方法は、操作部に指示入力方法を備えることにより、様々に変えることが可能である。２つのデータ表示において、例えば、上下それぞれの表示内容をスイッチにより入れ替える、或いは、表示内容を上下に分けるのではなく、左右に分けても良い。また、それぞれの画面の大きさは同じではなく、変えることも可能である。即ち、例えばメニューデータの表示は小さくし、番組情報をより多く表示画面に表示させることもできる。
【００６０】
また、フォントＲＯＭ切替メモリは、例えば表示用バッファメモリと同じメモリ装置に含まれていても良い。或いは、ＯＳＤ回路内の制御レジスタに含まれていても良い。
【００６１】
その他、本発明の主旨を逸脱しない範囲内で種々変更して実施することができる。
【００６２】
また、本発明は、以下の付記に記載されるような構成が考えられる。
【００６３】
付記１として、記憶手段から変換手段への文字情報データによる番組データ若しくはメニューデータの送り出しは、画面表示の内容が切り替る間、若しくは、垂直帰線消去期間に行われることを特徴とする文字放送情報表示機能付きテレビ受像装置。
【００６４】
付記２として、表示部に画面表示される文字情報データによる番組データ若しくはメニューデータの表示位置を切り替えることを特徴とする文字放送情報表示機能付きテレビ受像装置。
【００６５】
付記３として、表示部に画面表示される文字情報データによる番組データ若しくはメニューデータの表示の大きさを変更することを特徴とする文字放送情報表示機能付きテレビ受像装置。
【００６６】
付記４として、文字群選択手段において、所定の文字群を指定する指定情報を含むメモリを有することを特徴とする文字放送情報表示機能付きテレビ受像装置。
【００６７】
付記５として、記憶手段から変換手段への文字情報データによる番組データ若しくはメニューデータの送り出しは、画面表示の内容が切り替る間、若しくは、垂直帰線消去期間に行われることを特徴とする文字放送情報処理用マイクロコンピュータ。
【００６８】
付記６として、表示部に画面表示される文字情報データによる番組データ若しくはメニューデータの表示位置を切り替えることを特徴とする文字放送情報処理用マイクロコンピュータ。
【００６９】
付記７として、表示部に画面表示される文字情報データによる番組データ若しくはメニューデータの表示の大きさを変更することを特徴とする文字放送情報処理用マイクロコンピュータ。
【００７０】
付記８として、文字群選択手段において、所定の文字群を指定する指定情報を含むメモリを有することを特徴とする文字放送情報表示機能付きテレビ受像装置。
【図面の簡単な説明】
【００７１】
【図１】本発明の第１の実施例による文字放送情報処理機能付きテレビ受像装置の構成の概略を示すブロック図。
【図２】本発明の第１の実施例に用いる文字放送情報処理用マイクロコンピュータを含む回路ブロック図。
【図３】本発明の第１の実施例に用いる文字放送情報処理用マイクロコンピュータによる処理のフローチャート。
【図４】本発明の第１の実施例に用いるメモリ群の記憶領域を示す説明図。
【図５】本発明の第１の実施例を示す文字放送情報処理機能付きテレビ受像装置による処理のフローチャート及び表示画面。
【図６】本発明の第２の実施例による文字放送情報処理機能付きテレビ受像装置に用いる文字放送情報処理用マイクロコンピュータを含む回路ブロック図。
【図７】本発明の第３の実施例に用いる文字放送情報処理用マイクロコンピュータを含む回路ブロック図。
【図８】本発明の第４の実施例に用いる文字放送情報処理用マイクロコンピュータを含む回路ブロック図。
【符号の説明】
【００７２】
１０  文字放送機能付きビデオ受像装置
１０ａ  アンテナ
１１  チューナ部
１２  検波部
１３  ビデオ信号処理部
１４  マイクロコンピュータ部
１５  切り替え及び合成部
１６  ビデオ信号出力部
１７  表示部
１８  操作部
１９  受信部
２０  文字放送情報処理用マイクロコンピュータ
２１  スライス回路
２２  アクウィジション回路
２２ａ、２４ａ、２４ｃ、２６ｂ  制御レジスタ
２３  メモリ群
２３ａ、２３ｂ、２３ｃ  テキストメモリ
２３ｄ  メニューメモリ
２４  データ転送コントローラ
２４ｂ  メモリコントローラ
２５  表示用バッファメモリ
２６  ＯＳＤ回路
２６ａ  フォントＲＯＭ
２６ｃ  フォントＲＯＭ切替メモリ
２７  ＣＰＵ
２７ａ  プログラムＲＯＭ
２７ｂ  バスライン
２８ａ  Ｉ／Ｏポート
２８ｂ  Ａ／Ｄ変換回路
２９  受信部
２９ａ  リモコン受信部
２９ｂ  アナログ電圧出力部
３０  操作部
３０ａ  リモコン操作部
３０ｂ  キースイッチ操作部
【図１】
2004364253.tif 000003
【図２】
2004364253.tif 000004
【図３】
2004364253.tif 000005
【図４】
2004364253.tif 000006
【図５】
2004364253.tif 000007
【図６】
2004364253.tif 000008
【図７】
2004364253.tif 000009
【図８】
2004364253.tif 000010